(57)【特許請求の範囲】
【請求項１】
天板の裏面に左右一対の脚柱の基端側を枢着して脚柱を折畳み自在とすると共に、上記各脚柱に枢着したステーを脚柱の起立姿勢でロックするロック装置をそれぞれ天板裏面に固定してなる折畳み式テーブルにおいて、
脚柱と天板裏面の枢着個所に、天板裏面からロック装置の高さを超えた所定長さＬだけ離間した高さに枢軸を設けた折畳み用ヒンジを設け、
天板裏面で折畳まれた脚柱に対応する位置で、上記所定長さＬだけ離間した高さに設定されて折り畳まれた脚柱を略水平に支持する支承部を突設し、
該支承部が、一対のロック装置の間に形成されたレール状からなり、両側方が窪んで折畳まれたテーブルを把持する際の手掛け部となっており、
前記脚柱は一つの脚部を有し、該脚部の中途位置には略枠状に形成されたステーの先端側を枢着し、該ステーの内端側はロック装置に形成された天板裏面に沿って延びてガイド用の長孔を形成する通過路内に摺動自在に嵌合され、脚柱の起立時にはステーの内端が上記通過路の外端側まで変位してステーを斜めに立ち上がらせて上記ステーの内端がロックされ、折畳み時には上記通過路の内端寄りに変位させてステーを倒して上記通過路により拘束してなることを特徴とする折畳み式テーブル。
【請求項２】
前記脚部が高さ調節可能な脚部からなり、ステーが上記脚部の横幅以下の幅に設定された略矩形の枠体からなっており、
前記ロック装置が、細長板の両端を折り曲げて前方の受部と、後方の受部と通過路とを形成し、通過路の後端の深さを上記ステーの断面径と略等しく形成し、また薄板製の係止板を凸弧状の排除斜縁およびこれに連なる凸弧状の係止急斜縁とを有する倒立略Ｕ字状に形成し、この係止板の下方かつ後方ヘハンドルレバーを一体的に形成し、しかもハンドルレバーの端部を係止板と同方向へ膨出し、さらに通過路外に取付けた回動軸へ係止板の別方を回動自在に設け、またコイルバネにより係止板を常時は通過路の上方まで突出させ、しかもコイルバネにより脚の起立時には係止急斜縁を介して上記ステーの内端を後方の受部側へ押付けるとともにハンドルレバーの膨出した端部を天板側へ押圧し、ハンドルレバーの引下げ時には係止板全体を通過路内より没し、また支杆頂部をコ字状に形成するとともに細長板の幅と略等しい幅に形成し、鉄板製の取付部を後方の受部へ設けるとともに係止板の上方へ位置させる構成からなっていることを特徴とする請求項１に記載の折畳み式テーブル。
【請求項３】
支承部が、一対のロック装置の間に掛け渡された一本のレール状からなっており、両側方が窪んで折畳まれたテーブルを把持する際の手掛け部となっていることを特徴とする請求項１または２に記載の折畳み式テーブル。
【発明の詳細な説明】
【０００１】
【発明の属する技術分野】
この発明は、天板の裏面に左右一対の脚柱の基端側を枢着して脚柱を折畳み自在とすると共に、上記各脚柱に枢着したステーを脚柱の起立姿勢でロックするロック装置をそれぞれ天板裏面に固定してなる折畳み式テーブルの改良に関する。
【０００２】
【従来の技術】
従来、この種の折畳み式テーブルでは、実公昭６１−３２５０７号に示すように天板の裏面に脚柱の起立姿勢をロックし折畳み姿勢を拘束するロック装置を設けているので、脚柱は上記ロック装置に干渉しないように前後に一対の脚部を有する略コ字状に形成されている。
そして、この一対の脚部には基端がロック装置に取り付けられて外方へ向かってハ字状に広がるステーの先端が枢着される。
そのため、テーブルの左右側方はそれぞれ前後一対の脚部とステーが配置されるので、側方に着座する際にそれらが邪魔になる等の不具合があった。
また、脚柱の脚部が１本の場合は、ロック装置と干渉してしまう欠点があった。
【０００３】
【発明が解決しようとする課題】
この発明は上記事情に鑑みて創案されたものであって、その主たる課題は、脚柱の脚部を１本としてテーブルの側方からの着座を容易にすると共に、不使用時には脚柱をロック装置に干渉しないように折畳むことができる折畳み式テーブルを提供することにある。
【０００４】
【課題を解決するための手段】
前記課題を達成するために、請求項１の発明では、
天板の裏面に左右一対の脚柱の基端側を枢着して脚柱を折畳み自在とすると共に、上記各脚柱に枢着したステーを脚柱の起立姿勢でロックするロック装置をそれぞれ天板裏面に固定してなる折畳み式テーブルにおいて、
脚柱と天板裏面の枢着個所に、天板裏面からロック装置の高さを超えた所定長さＬだけ離間した高さに枢軸を設けた折畳み用ヒンジを設け、
天板裏面で折畳まれた脚柱に対応する位置で、上記所定長さＬだけ離間した高さに設定されて折り畳まれた脚柱を略水平に支持する支承部を突設し、
該支承部が、一対のロック装置の間に形成されたレール状からなり、両側方が窪んで折畳まれたテーブルを把持する際の手掛け部となっており、
前記脚柱は一つの脚部を有し、該脚部の中途位置には略枠状に形成されたステーの先端側を枢着し、該ステーの内端側はロック装置に形成された天板裏面に沿って延びてガイド用の長孔を形成する通過路内に摺動自在に嵌合され、脚柱の起立時にはステーの内端が上記通過路の外端側まで変位してステーを斜めに立ち上がらせて上記ステーの内端がロックされ、折畳み時には上記通過路の内端寄りに変位させてステーを倒して上記通過路により拘束してなる、という技術的手段を講じている。
【０００５】
また、請求項２の発明では、
前記脚部が高さ調節可能な脚部からなり、ステーが上記脚部の横幅以下の幅に設定された略矩形の枠体からなっており、
前記ロック装置が、細長板の両端を折り曲げて前方の受部と、後方の受部と通過路とを形成し、通過路の後端の深さを上記ステーの断面径と略等しく形成し、また薄板製の係止板を凸弧状の排除斜縁およびこれに連なる凸弧状の係止急斜縁とを有する倒立略Ｕ字状に形成し、この係止板の下方かつ後方ヘハンドルレバーを一体的に形成し、しかもハンドルレバーの端部を係止板と同方向へ膨出し、さらに通過路外に取付けた回動軸へ係止板の別方を回動自在に設け、またコイルバネにより係止板を常時は通過路の上方まで突出させ、しかもコイルバネにより脚の起立時には係止急斜縁を介して上記ステーの内端を後方の受部側へ押付けるとともにハンドルレバーの膨出した端部を天板側へ押圧し、ハンドルレバーの引下げ時には係止板全体を通過路内より没し、また支杆頂部をコ字状に形成するとともに細長板の幅と略等しい幅に形成し、鉄板製の取付部を後方の受部へ設けるとともに係止板の上方へ位置させる構成からなっている、という技術的手段を講じている。
更に、請求項３の発明では、
前記支承部が、一対のロック装置の間に掛け渡された一本のレール状からなっており、両側方が窪んで折畳まれたテーブルを把持する際の手掛け部となっている、という技術的手段を講じている。
【０００６】
【発明の実施の形態】
以下に、この発明の折畳み式テーブルの好適実施例について図面を参照して説明する。
図１から図３に示す折畳式テーブル１は、天板２の裏面に左右一対の脚柱３、３の基端側を枢着して脚柱３を折畳み自在とすると共に、上記各脚柱３に枢着したステー４を脚柱３の起立姿勢でロックするロック装置１０をそれぞれ天板２の裏面に固定した構成からなる。
【０００７】
矩形状の天板２の裏面には、パイプ製の脚柱３を枢着するための折畳み用ヒンジ５が設けられている。
この折畳み用ヒンジ５は、天板２裏面に固定される扁平な金属片５ｂと、脚柱３側に固定されるアングル状の金属片５ａとを枢軸Ｐ１で枢着した構成からなっており、図３で一層明瞭なように、天板裏面より所定長さＬだけ離間した位置に折畳みの起伏支点となる枢軸Ｐ１が配置された立ちヒンジ構成となっている。
この長さＬは、後述のロック装置１０の高さよりも更に長くなる高さに設定されている。
従って、脚柱３は折畳んだ際に天板裏面に対して上記所定長さＬだけ離間した状態て折畳まれる。
【０００８】
上記脚柱３は、上記折畳み用ヒンジ５のアングル状の金属片５ａが固着される脚基台部３１と、その略中央から垂下する二重管構造の脚部３２と、該脚部３２下端でこれと直交する脚下台部３３とが一体に形成されている。
【０００９】
そして、前記脚基台部３１の外向きの側壁には折畳み時に設置面と衝合するための支持パッド３４が前後方向に一対設けられてネジ止め等で固着されている。
また、脚部３２は、外管３２ａと内管３２ｂの二重管構造からなって高さ方向に摺動自在となっている。
また前記脚基台部３１には上記外管３２ａと固着される個所に、上記外管３２ａの中空部と連通するように連通孔を設けておけば、内管３２ｂの摺動ストロークを延ばすことができる。
【００１０】
次に、この外管３２ａの左右の側壁には先端側の所定位置に左右一対の基準孔Ｈ１が設けられており、内管３２ｂの左右の側壁には上記基準孔と整合する高さ調整孔Ｈ２が上下方向に略等間隔に複数設けられている、
そして、上記基準孔Ｈ１に任意に高さ調整孔Ｈ２を整合して、左右両側から一対の第１固定ネジ３５を螺合することにより高さ調節が行われる。
また、外管３２ａの外壁にはガタツキ調整用の孔Ｈ３が穿設されており、第２固定ネジ３６が進退自在に螺着されている。
従って、第２固定ネジ３６を締めることにより、その先端が内管３２ｂの外壁を押圧して外管３２ａと内管３２ｂとを一体的に固定してガタツキを抑えることができる。
ここで、図示例の場合、第１、第２固定ネジ３５、３６にはダイアル状のグリップが設けられている。
【００１１】
この脚部３２の外管３２ａには軸受部６が固着されてステー４の外端４１側を枢着している。
この軸受部６は、断面アングル状のプレートの先端に筒状の軸受部分を設けて枢軸Ｐ２の位置を脚部３２（３２ａ）から直交方向に離間位置に設けるもの（図３および図４（ａ）参照）であるが、この発明では上記実施例に限定されず、図４（ｂ）に示すようにステー４の外端４１側の軸受部分が筒状となってプレートに固着した構造や、図４（ｃ）に示すようにプレートの中央を断面略Ｕ字状に曲成した構造からなって、枢軸Ｐ２の位置を脚部３２（３２ａ）上に設けるものでもよい。
【００１２】
そして脚下台部３３は、前記内管３２ｂにこれと直交して固着されており、その底壁には、端部寄りに回転子、本実施例ではローラ７をその一部が突出するように取付け、該ローラ７の内側には固定用のアジャスタ８が高さ調節可能に取り付けられている。
このアジャスタ８は接地面がローラ７のトラッド面より僅かに高く設定されているので、通常に設置した際にはローラ７は中空に保持され、テーブル１を斜めに傾けることによりローラ７のトラッド面を接地させてローラ７を利かすことができるようになっている。
【００１３】
次に、上記ステー４は、矩形枠体からなっており、外端４１側は前記軸受部６に枢着されており、内端４２側は天板２の裏面に固着されたロック装置１０に摺動自在に取り付けられている。
【００１４】
ここで、ロック装置１０は、前述の実公昭６１−３２５０７号の構造とほぼ同様の公知構成からなっている。
即ち、図５に示すように、細長板１８の両端を折り曲げて前方の受部２０、後方の受部２１およびガイド用の長孔となる通過路１９を形成している。
該通過路１９はその深さをステー４の内端４２における断面径と略同等以上に形成している。
【００１５】
また薄板製の係止板１３を凸弧状の排除斜縁１５およびこれに連なる凸弧状の係止急斜縁１６とを有する円弧状に形成している。
この係止板１３の下方かつ後方ヘハンドルレバー２３を一体的に形成し、しかもハンドルレバー２３の端部を係止板１３と同方向へ膨出し、さらに通過路１９外に取付けた回動軸１４へ係止板１３の別方を回動自在に設けている。
【００１６】
またコイルバネ１７（図２参照）により係止板１３を常時は通過路１９の上方まで突出させ、しかもコイルバネ１７により脚柱３の起立時には係止急斜縁１６を介してステー４の内端４２を後方の受部２１側へ押付けるとともにハンドルレバー２３の膨出した端部を天板２側へ押圧しているので、ハンドルレバー２３の引下げ時には係止板１３全体を通過路１９内より没するようになっている。
ステー４は平面矩形状で前記細長板１８より僅かに広い幅に形成されており、また鉄板製のブラケットからなる取付部２７を後方の受部２１へ設けるとともに係止板１３の上方へ位置させた構成からなっている。
【００１７】
従って、上記ロック装置１０では、脚柱３を折畳み状態から起立する際には、折畳まれている脚柱３を握持し、起立方向へ回動するとステー４の内端４２が、通過路１９内を外端側へ摺動する。
そしてステー４の内端４２は通過路１９内に突出している係止板１３の排除斜線１５を押し倒して進み、係止板１３をコイルバネ１７の付勢力に抗して回動軸１４を中心に回転させて通過路１９内から押し出す。
脚柱３が起立してステーの内端４２が係止板１３を通過すると前記付勢されたコイルバネ１７の復帰力で係止板１３は回動軸１４を中心に復帰方向に回動して再び通過路１９内に突出する。
【００１８】
これにより、ステーの内端４２は係止板１３の係止急斜縁１６と受部２１とで係止され、且つコイルバネ１７により受部２１側へ押付けられて脚台３の起立姿勢を保持するステー４がその姿勢でロックされる。
次に脚柱３を折畳むには、まずハンドルレバー２３をロック解除方向に回動する。
これにより係止板１３はコイルバネ１７の弾性に抗して回動し、通過路１９より没して通過路１９を開く。
そこで脚柱４を折畳み方向に回動すると、ステー４の内端４２は、通過路１９内を天板中央方向へ摺動して脚柱４が折りたたまれる。
なお、受部２０の手前で、折畳み時のステー４の内端４２を係止する係止部を設けておけば折畳み姿勢をロックすることもできる。
【００１９】
次に、天板２裏面で折畳まれた脚柱３の脚部３２に対応する位置に、上記折り畳まれた脚部３２を略水平に支持する支承部９が設けられる。
本実施例では、支承部９は、一対のロック装置１０の間に掛け渡された一本のレール形状からなっている。
該支承部９は、両側方が凹状に窪んで一対の窪み部９ａが形成されており、該窪み部９ａは折畳まれたテーブル１を把持する際の手掛け用の溝として利用することができるようになっている。
【００２０】
この支承部９の高さは前記折畳み用ヒンジ５の枢軸Ｐ１の長さＬとほぼ同じに設定してあるので、上記枢軸Ｐ１を支点として折り畳んだ脚台３を水平に保持することができる（図１参照）。
また、支承部９はレール状からなっているので、左右一対の脚台３の脚部３２が高さ調節によって長短いずれであっても十分に支承することができる。
支承部９は、要するにその高さが前記Ｌと同様であって折畳み時に脚台３を支承可能な位置で天板裏面に固着されていれば、その数は特に限定されるものではない。
【００２１】
上記構成からなっているので、脚柱３の折畳み時には、折畳み用ヒンジ５を支点として折畳まれた脚柱３はその下端側が支承部９に保持されて天板２の裏面に対して所定長さＬだけ離れた姿勢で折り畳まれる。
この所定長さＬは、ロック装置１０の高さよりも高いので、一つの脚部３２を有する脚柱３であっても、折畳み時にロック装置１０と干渉することがない。
【００２２】
更に、本実施例では、前記ステー４は、脚柱３の横幅と同じまたはこれより狭い幅の矩形枠状に形成されているので、折畳んだ脚柱３に覆われ、内側に隠れて収納されるので外側に露出することがない。
従って、脚柱３が折畳み状態のステー４を保護するので、外力が加わってもステーが変形したり損傷する虞れがない。
【００２３】
上記実施例では、脚柱としてパイプ構造を例示したが、木製であってもよい。
その場合、高さ調節構造としては二重管構造ではなく、中央の脚部の左右に脚台に固定された一対の補助脚部を設け、補助脚部に基準孔を設け、中央の脚部に上下多段に複数の高さ調整孔を設け、選択した１つの高さ調整孔を基準孔と整合させて１本のネジを貫挿し共締めすることにより固定することができる。
また、この発明では脚部に高さ調節構造を用いない構造も含まれる。
その他、要するにこの発明の要旨を変更しない範囲で種々設計変更しうること勿論である。
【００２４】
【発明の効果】
上記のように構成されているので、この発明では脚柱の脚部を１本としてテーブルの左右側方での着座スペースを広げることができると共に、折畳み時にロック装置と干渉することがない高さ調節可能な折畳み式テーブルを提供することができる。
また、ステーの幅を脚部の横幅以内に設定することにより、折畳み時の脚部がステーを覆って保護することができ、外部からの衝撃力が加わってもステーの損傷を防ぐことができる。
更に、支承部をレール状として窪み部を設けることにより、簡単な構造でありながら脚柱の折畳み姿勢を保持することができると共に、持ち運ぶ際の手掛けとして利用することもできる。
また、脚下台部にローラとストッパを設けることにより、展開時におけるテーブルの移動を容易に行うことができる。
また、脚部を二重管構造とした場合には、高さ調整と共にガタツキ防止用のネジを設けて内管と外管とを固定させ、脚部のガタツキを防ぐことができる。
【図面の簡単な説明】
【図１】折畳み式テーブルの斜視図である。
【図２】折畳み構造の要部を示す斜視図である。
【図３】ロック装置の折畳み状態を示す側面図である。
【図４】（ａ）から（ｃ）はそれぞれステーと脚柱の枢着構造を示す部分側面図である。
【図５】ロック装置を説明する側面図である。
【符号の説明】
１        折畳み式テーブル
２        天板
３        脚柱
４        ステー
５        折畳み用ヒンジ
６        軸受部
７        ローラ
８        アジャスタ
９        支承部
１０        ロック装置
１９        通過路
３１        脚基台部
３２        脚部
３２ａ      外管
３２ｂ      内管
３３        脚下台部
４１        ステーの外端
４２        ステーの内端
【図１】
0004658372.tif 000002
【図２】
0004658372.tif 000003
【図３】
0004658372.tif 000004
【図４】
0004658372.tif 000005
【図５】
0004658372.tif 000006